(57)【特許請求の範囲】
【請求項１】
各別の表示を行う複数のＬＥＤと、各ＬＥＤの点灯動作時に、所定周期のパルスのデューティ比を次第に増大させることによりフェードインさせるＬＥＤ制御部とを備えるＬＥＤ表示装置において、
前記ＬＥＤ制御部は、現在フェードイン中のＬＥＤを先行点灯ＬＥＤとし、先行点灯ＬＥＤのフェードイン中に点灯動作を開始するＬＥＤを後続点灯ＬＥＤとしたとき、後続点灯ＬＥＤの点灯動作を、該後続点灯ＬＥＤの点灯動作開始時点の先行点灯ＬＥＤのデューティ比と同じ値のデューティ比から開始させることにより、後続点灯ＬＥＤの点灯動作開始後における先行点灯ＬＥＤと後続点灯ＬＥＤとのフェードインを同期させることを特徴とするＬＥＤ表示装置。
【請求項２】
各別の表示を行う複数のＬＥＤと、各ＬＥＤの消灯動作時に、所定周期のパルスのデューティ比を次第に減少させることによりフェードアウトさせるＬＥＤ制御部とを備えるＬＥＤ表示装置において、
前記ＬＥＤ制御部は、現在フェードアウト中のＬＥＤを先行消灯ＬＥＤとし、先行消灯ＬＥＤのフェードアウト中に消灯動作を開始したＬＥＤを後続消灯ＬＥＤとしたとき、後続消灯ＬＥＤの消灯動作を、該後続消灯ＬＥＤの消灯動作開始時点の先行消灯ＬＥＤのデューティ比と同じ値のデューティ比から開始させることにより、後続消灯ＬＥＤの消灯動作開始後における先行消灯ＬＥＤと後続消灯ＬＥＤとのフェードアウトを同期させさせることを特徴とするＬＥＤ表示装置。
【発明の詳細な説明】
【技術分野】
【０００１】
本発明は、複数のＬＥＤによる表示がフェードイン又はフェードアウトするＬＥＤ表示装置に関する。
【背景技術】
【０００２】
従来、光源としてＬＥＤ（発光ダイオード）を使用した表示装置においては、消灯状態から次第に輝度が増加して点灯するフェードインや、点灯状態から次第に輝度が減少して消灯するするフェードアウトするものが知られている。このようなＬＥＤ表示装置のフェードインやフェードアウトは、ＰＷＭ制御回路によって各ＬＥＤに印加されるパルス電圧のデューティ比を調整することで行われる（例えば、特許文献１参照）。
【先行技術文献】
【特許文献】
【０００３】
【特許文献１】特開２００６−５４２８０号公報
【発明の概要】
【発明が解決しようとする課題】
【０００４】
ところで、例えば、家庭電化製品等の電気機器の操作部に採用して操作に応じてスイッチを光らせる表示部の光源としてＬＥＤを用いたとき、各スイッチの操作タイミングが異なることによって、各表示部のＬＥＤ毎に各別にフェードインやフェードアウトが開始されると、各表示部の表示動作タイミングが合わないことにより、使用者に対して統一感のない印象を与える不都合がある。
【０００５】
即ち、フェードイン中のＬＥＤに対して、他のＬＥＤが遅れてフェードインを開始すると、両ＬＥＤの間で点灯状態となるタイミングにずれが生じる。同じように、フェードアウト中のＬＥＤに対して、他のＬＥＤが遅れてフェードアウトを開始すると、両ＬＥＤの間で消灯状態となるタイミングにずれが生じる。このようなフェードインやフェードアウトのずれが生じることにより、使用者に視覚的に不揃いな印象を与えてしまう。
【０００６】
上記の点に鑑み、本発明は、各別の表示を行う複数のＬＥＤがフェードインやフェードアウトを行うときのタイミングを合わせることにより、視覚的に不揃いな印象を防止することができるＬＥＤ表示装置を提供することを目的とする。
【課題を解決するための手段】
【０００７】
かかる目的を達成するために、本発明は、各別の表示を行う複数のＬＥＤと、各ＬＥＤの点灯動作時に、所定周期のパルスのデューティ比を次第に増大させることによりフェードインさせるＬＥＤ制御部とを備えるＬＥＤ表示装置において、前記ＬＥＤ制御部は、現在フェードイン中のＬＥＤを先行点灯ＬＥＤとし、先行点灯ＬＥＤのフェードイン中に点灯動作を開始するＬＥＤを後続点灯ＬＥＤとしたとき、後続点灯ＬＥＤの点灯動作を、該後続点灯ＬＥＤの点灯動作開始時点の先行点灯ＬＥＤのデューティ比と同じ値のデューティ比から開始させることにより、後続点灯ＬＥＤの点灯動作開始後における先行点灯ＬＥＤと後続点灯ＬＥＤとのフェードインを同期させることを特徴とする。
【０００８】
本発明によれば、例えば、フェードイン中の先行点灯ＬＥＤのデューティ比が５０％のときに後続点灯ＬＥＤの点灯動作が開始される場合、ＬＥＤ制御部は、後続点灯ＬＥＤのデューティ比を５０％として後続点灯ＬＥＤのフェードインを開始する。これにより、先行点灯ＬＥＤと後続点灯ＬＥＤとでデューティ比の増大が同期して行われ、両者の点灯タイミングを揃えることができる。よって、各別の表示を行う複数のＬＥＤの間の点灯動作で、使用者に対して視覚的な不揃い感を与えることを防止できる。
【０００９】
また、本発明は、各別の表示を行う複数のＬＥＤと、各ＬＥＤの消灯動作時に、所定周期のパルスのデューティ比を次第に減少させることによりフェードアウトさせるＬＥＤ制御部とを備えるＬＥＤ表示装置において、前記ＬＥＤ制御部は、現在フェードアウト中のＬＥＤを先行消灯ＬＥＤとし、先行消灯ＬＥＤのフェードアウト中に消灯動作を開始したＬＥＤを後続消灯ＬＥＤとしたとき、後続消灯ＬＥＤの消灯動作を、該後続消灯ＬＥＤの消灯動作開始時点の先行消灯ＬＥＤのデューティ比と同じ値のデューティ比から開始させることにより、後続消灯ＬＥＤの消灯動作開始後における先行消灯ＬＥＤと後続消灯ＬＥＤとのフェードアウトを同期させることを特徴とする。
【００１０】
本発明によれば、例えば、フェードアウト中の先行消灯ＬＥＤのデューティ比が５０％のときに後続消灯ＬＥＤの消灯動作が開始される場合、ＬＥＤ制御部は、後続消灯ＬＥＤのデューティ比を５０％として後続消灯ＬＥＤのフェードアウトを開始する。これにより、先行消灯ＬＥＤと後続消灯ＬＥＤとでデューティ比の減少が同期して行われ、両者の消灯タイミングを揃えることができる。よって、各別の表示を行う複数のＬＥＤの間の消灯動作で、使用者に対して視覚的な不揃い感を与えることを防止できる。
【図面の簡単な説明】
【００１１】
【図１】本発明の一実施形態のＬＥＤ表示装置の構成を模式的に示す図。
【図２】本実施形態におけるＬＥＤ制御部のフェードイン処理を示すフローチャート。
【図３】本実施形態におけるフェードイン時のデューティ比を示すグラフ。
【図４】本実施形態におけるＬＥＤ制御部のフェードアウト処理を示すフローチャート。
【図５】本実施形態におけるフェードアウト時のデューティ比を示すグラフ。
【発明を実施するための形態】
【００１２】
本発明の一実施形態を図面に基づいて説明する。本実施形態のＬＥＤ表示装置は、図１に示すように、２つのＬＥＤ（第１ＬＥＤ１、第２ＬＥＤ２）と、各ＬＥＤ１，２を制御するＬＥＤ制御部３とを備えている。本実施形態のＬＥＤ表示装置におけるＬＥＤ１，２は、図示しないが、家庭電化製品等の電気機器の操作部に設けられるスイッチ操作に応じて点灯・消灯が行われる操作ランプの光源として設けられる。
【００１３】
ＬＥＤ制御部３は、第１ＬＥＤ１を接続した第１ＰＷＭ制御回路４と、第２ＬＥＤ２を接続した第２ＰＷＭ制御回路５と、両ＰＷＭ制御回路４，５を制御するマイコン６とにより構成されている。
【００１４】
第１ＰＷＭ制御回路４は、第１ＬＥＤ１に入力するパルス幅を変化させることにより第１ＬＥＤ１のデューティ比（輝度）を調整する。第２ＰＷＭ制御回路５は、第２ＬＥＤ２に入力するパルス幅を変化させることにより第２ＬＥＤ２のデューティ比（輝度）を調整する。
【００１５】
即ち、第１ＰＷＭ制御回路４は、マイコン６から第１ＬＥＤ１の点灯指示を受信すると、第１ＬＥＤ１に入力するパルスのデューティ比を次第に増大させて第１ＬＥＤ１をフェードインさせ、第１ＬＥＤ１の消灯指示を受信すると、第１ＬＥＤ１に入力するパルスのデューティ比を次第に減少させて第１ＬＥＤ１をフェードアウトさせる。第２ＰＷＭ制御回路５も同様にして第２ＬＥＤ２を制御する。
【００１６】
更に、第１ＰＷＭ制御回路４には第１デューティ比採取部７が接続されており、第２ＰＷＭ制御回路５には第２デューティ比採取部８が接続されている。第１デューティ比採取部７は、第１ＬＥＤ１を制御している第１ＰＷＭ制御回路４から現在のデューティ比を採取してマイコン６に送信する。同じように、第２デューティ比採取部８は、第２ＬＥＤ２を制御している第２ＰＷＭ制御回路５から現在のデューティ比を採取してマイコン６に送信する。
【００１７】
マイコン６は、ＰＷＭ制御回路４，５への指示により、各ＬＥＤ１，２の状態（点灯状態、消灯状態、フェードイン中、フェードアウト中）を把握する。更にマイコン６は、デューティ比採取部７，８から得られる情報に基づいてＰＷＭ制御回路４，５を制御する。
【００１８】
ここで、上記構成によるＬＥＤ制御部３の作動を詳説する。先ず、図２及び図３を参照してフェードインにかかる制御を説明する。図２は、第１ＬＥＤ１を光源とするランプを備える図示しない操作部のスイッチが操作されて、第１ＬＥＤ１をフェードインさせる処理の流れを示している。
【００１９】
マイコン６が第１ＬＥＤ１の点灯指示を受けると、ＳＴＥＰ１−１で第２ＬＥＤ２の状態を取得してＳＴＥＰ１−２へ進む。マイコン６は、ＳＴＥＰ１−２へ進むと、第２ＬＥＤ２がフェードイン中であるか否かの判断を行う。
【００２０】
ＳＴＥＰ１−２において、現在の第２ＬＥＤ２がフェードイン中であるか否かを確認する方法としては、マイコン６が第２ＰＷＭ制御回路５の制御状態に基づいて判断することが挙げられる。
【００２１】
第２ＬＥＤ２がフェードイン中である場合に、第２ＬＥＤ２が本発明における先行点灯ＬＥＤに相当し、第１ＬＥＤ１が後続点灯ＬＥＤに相当するものとなる。
【００２２】
マイコン６は、第２ＬＥＤ２がフェードイン中であると判断したとき、ＳＴＥＰ１−３で第２デューティ比採取部８を介して第２ＬＥＤ２の現在のデューティ比を取得する。
【００２３】
続いて、マイコン６は、ＳＴＥＰ１−４で第１ＰＷＭ制御回路４の点灯駆動開始のデューティ比として、ＳＴＥＰ１−３で得た第２ＬＥＤ２の現在のデューティ比を設定し、ＳＴＥＰ１−５へ進んで第１ＰＷＭ制御回路４の点灯駆動による第１ＬＥＤ１のフェードインを開始させる。
【００２４】
具体的には、図３に示すように、先に点灯を開始した第２ＬＥＤ２（先行点灯ＬＥＤ）のデューティ比が例えば５０％のとき、第１ＬＥＤ１（後続点灯ＬＥＤ）が点灯を開始した場合には、第１ＬＥＤ１（後続点灯ＬＥＤ）のフェードインを５０％のデューティ比（先行点灯ＬＥＤの現在のデューティ比）から開始する。これにより、デューティ比が例えば５０％から１００％になるまで、第２ＬＥＤ２（先行点灯ＬＥＤ）と第１ＬＥＤ１（後続点灯ＬＥＤ）とが同じデューティ比で増大して、両ＬＥＤ１，２のフェードインが同期する。
【００２５】
以上の説明においては、第２ＬＥＤ２が先行点灯ＬＥＤであり、第１ＬＥＤ１が後続点灯ＬＥＤとなった場合について説明したが、第１ＬＥＤ１が先行点灯ＬＥＤで、第２ＬＥＤ２が後続点灯ＬＥＤとなった場合も、マイコン６は、上記と同じ手順で両ＬＥＤ１，２のフェードインを同期させる。
【００２６】
また、図２に示すように、ＳＴＥＰ１−２において、第２ＬＥＤ２がフェードイン中でないと判断された場合には、マイコン６はＳＴＥＰ１−５へ進んで第１ＰＷＭ制御回路４の駆動による第１ＬＥＤ１のフェードインを開始させる。
【００２７】
以上のように、両ＬＥＤ１，２の点灯開始時期が異なっても、両ＬＥＤ１，２のフェードインを同期させることができるので、フェードイン中の両ＬＥＤ１，２の明るさが視覚的に不揃いとなることを防止することができる。また、使用者に違和感を与えて装置が異常であると勘違いされることもない。
【００２８】
次に、図４及び図５を参照してフェードアウトにかかる制御を説明する。図４は、第１ＬＥＤ１を光源とするランプを備える図示しない操作部のスイッチが操作されて、第１ＬＥＤ１をフェードアウトさせる処理の流れを示している。
【００２９】
マイコン６が第１ＬＥＤ１の消灯指示を受けると、ＳＴＥＰ２−１で第２ＬＥＤ２の状態を取得してＳＴＥＰ２−２へ進む。マイコン６は、ＳＴＥＰ２−２へ進むと、第２ＬＥＤ２がフェードアウト中であるか否かの判断を行う。
【００３０】
ＳＴＥＰ２−２において、現在の第２ＬＥＤ２がフェードアウト中であるか否かを確認する場合にも、現在の第２ＬＥＤ２がフェードイン中であるか否かを確認する場合と同様の方法を用いればよい。
【００３１】
第２ＬＥＤ２がフェードアウト中である場合に、第２ＬＥＤ２が本発明における先行消灯ＬＥＤに相当し、第１ＬＥＤ１が後続消灯ＬＥＤに相当するものとなる。
【００３２】
マイコン６は、第２ＬＥＤ２がフェードアウト中であると判断したとき、ＳＴＥＰ２−３で第２デューティ比採取部８を介して第２ＬＥＤ２の現在のデューティ比を取得する。
【００３３】
続いて、マイコン６は、ＳＴＥＰ２−４で第１ＰＷＭ制御回路４の消灯駆動開始のデューティ比として、ＳＴＥＰ２−３で得た第２ＬＥＤ２の現在のデューティ比を設定し、ＳＴＥＰ２−５へ進んで第１ＰＷＭ制御回路４の消灯駆動による第１ＬＥＤ１のフェードアウトを開始させる。
【００３４】
具体的には、図５に示すように、先に消灯を開始した第２ＬＥＤ２（先行消灯ＬＥＤ）のデューティ比が例えば５０％のとき、第１ＬＥＤ１（後続消灯ＬＥＤ）が消灯を開始した場合には、第１ＬＥＤ１（後続消灯ＬＥＤ）のフェードアウトを５０％のデューティ比（先行消灯ＬＥＤの現在のデューティ比）から開始する。これにより、デューティ比が例えば５０％から０％になるまで、第２ＬＥＤ２（先行消灯ＬＥＤ）と第１ＬＥＤ１（後続消灯ＬＥＤ）とが同じデューティ比で減少して、両ＬＥＤ１，２のフェードアウトが同期する。
【００３５】
以上の説明においては、第２ＬＥＤ２が先行消灯ＬＥＤであり、第１ＬＥＤ１が後続消灯ＬＥＤとなった場合について説明したが、第１ＬＥＤ１が先行消灯ＬＥＤで、第２ＬＥＤ２が後続消灯ＬＥＤとなった場合も、マイコン６は、上記と同じ手順で両ＬＥＤ１，２のフェードアウトを同期させる。
【００３６】
また、図４に示すように、ＳＴＥＰ２−２において、第２ＬＥＤ２がフェードアウト中でないと判断された場合には、マイコン６はＳＴＥＰ２−５へ進んで第１ＰＷＭ制御回路４の消灯駆動による第１ＬＥＤ１のフェードアウトを開始させる。
【００３７】
以上のように、両ＬＥＤ１，２の消灯開始時期が異なっても、両ＬＥＤ１，２のフェードアウトを同期させることができるので、フェードアウト中の両ＬＥＤ１，２の明るさが視覚的に不揃いとなることを防止することができる。
【００３８】
なお、本実施形態においては、説明の便宜上２つのＬＥＤ１，２を備えるものを示しているが、これに限るものではなくＬＥＤを３つ以上設けることも可能である。この場合、図示しないが、３つ以上設けた各ＬＥＤの夫々を駆動するためのＰＷＭ制御回路を設け、更に、各ＬＥＤのデューティ比を採取するデューティ比採取部を設けて、マイコンによる上記の制御を行えばよい。このように、ＬＥＤを３つ以上設けた場合であっても、先行して点灯、消灯を開始しているＬＥＤに後続のＬＥＤを同期させることができる。
【符号の説明】
【００３９】
１…第１ＬＥＤ（ＬＥＤ）、２…第２ＬＥＤ（ＬＥＤ）、３…ＬＥＤ制御部。
【図１】
0006559589.tif 000002
【図２】
0006559589.tif 000003
【図３】
0006559589.tif 000004
【図４】
0006559589.tif 000005
【図５】
0006559589.tif 000006